(57)【要約】【課題】受信品質の低下を抑止しつつ重畳伝送を行うことを可能とすること。【解決手段】第一送信装置が、変調シンボルに対し、一部の振幅値がゼロとなるようなブロック符号化を行い、ブロック符号化後の変調シンボルを各サブキャリアに配置して送信信号を生成し、第二送信装置が、第一送信装置において振幅値がゼロとなったサブキャリアの周波数帯域のサブキャリアを用いて送信信号を生成する。【選択図】図２
2010206530.tif 000002
【特許請求の範囲】
【請求項１】
複数のサブキャリアからなる無線信号を送受信する第一送信装置及び第一受信装置と、複数のサブキャリアからなる無線信号を送受信する第二送信装置及び第二受信装置と、を含むマルチキャリア無線通信システムであって、
前記第一送信装置は、
送信対象の第一データに対し誤り訂正符号化を行い、誤り訂正符号化ビットを生成する第一送信装置用誤り訂正符号化部と、
誤り訂正符号化ビットを変調し複数の変調シンボルを生成する第一送信装置用第一変調部と、
複数の変調シンボルに対し、一部の振幅値がゼロとなるようなブロック符号化を行うブロック符号化部と、
ブロック符号化された変調シンボルを各サブキャリアに配置し変調信号を生成する第一送信装置用第二変調部と、
前記変調信号から第一送信信号を生成し送信する第一送信装置用送信部と、
を備え、
前記第二送信装置は、
送信対象の第二データに対し誤り訂正符号化を行い、誤り訂正符号化ビットを生成する第二送信装置用誤り訂正符号化部と、
誤り訂正符号化ビットを変調し複数の変調シンボルを生成する第二送信装置用第一変調部と、
変調シンボルを、前記第一送信信号において振幅値がゼロとなる周波数帯域のサブキャリアに配置し変調信号を生成する第二送信装置用第二変調部と、
前記変調信号から第二送信信号を生成し送信する第二送信装置用送信部と、
を備え、
前記第一受信装置は、
前記第一送信信号及び前記第二送信信号を受信する第一受信装置用受信部と、
受信した信号からサブキャリア毎にシンボルを取得する第一受信装置用第二復調部と、
前記シンボルに対し、前記ブロック符号化部のブロック符号化に応じたブロック復号化を行う第一受信装置用ブロック復号部と、
ブロック復号化された前記シンボルに対し、前記第一送信装置用第一変調部の変調に応じた復調を行う第一受信装置用第一復調部と、
復調後の値を用いて前記第一送信装置用誤り訂正符号化部の誤り訂正符号化に応じた誤り訂正処理及び復号処理を行うことによって前記第一データを生成する第一受信装置用誤り訂正復号部と、
を備え、
前記第二受信装置は、
前記第一送信信号及び前記第二送信信号を受信する第二受信装置用受信部と、
受信した信号からサブキャリア毎にシンボルを取得する第二受信装置用第二復調部と、
前記シンボルに対し、前記ブロック符号化部のブロック符号化に応じたブロック復号化を行う第二受信装置用ブロック復号部と、
ブロック復号化された前記シンボルに対し、前記第一送信装置用第一変調部の変調に応じた復調を行う第二受信装置用第一復調部と、
復調後の値を用いて前記第一送信装置用誤り訂正符号化部の誤り訂正符号化に応じた誤り訂正処理及び復号処理を行うことによって前記第一データを生成する第二受信装置用第一誤り訂正復号部と、
前記第一データに基づいて、前記第一送信信号において振幅値がゼロとなるサブキャリアの周波数帯域を判定する判定部と、
受信した信号のうち、前記第一送信信号において振幅値がゼロとなるサブキャリアの周波数帯域の信号からシンボルを取得し、前記第二送信装置用第一変調部の変調に応じた復調を行うサブキャリア選択部と、
前記サブキャリア選択部による復調後の値を用いて、前記第二送信装置用誤り訂正符号化部の誤り訂正符号化に応じた誤り訂正処理及び復号処理を行うことによって前記第二データを生成する第二受信装置用第二誤り訂正復号部と、
を備える、ことを特徴とするマルチキャリア無線通信システム。
【請求項２】
前記第一送信装置は、前記ブロック符号化部によって振幅値がゼロとなった変調シンボルが配置されるサブキャリアの情報を前記第二送信装置に通知するヌルサブキャリア情報通知部をさらに備え、
前記第二送信装置用第二変調部は、前記ヌルサブキャリア情報に応じて、前記第一送信信号において振幅値がゼロとなる周波数帯域のサブキャリアに変調シンボルを配置することを特徴とする請求項１に記載のマルチキャリア無線通信システム。
【請求項３】
前記第二送信装置は、
前記第一送信信号及び前記第二送信信号を受信する第一受信装置用受信部と、
受信した信号からサブキャリア毎にシンボルを取得する第一受信装置用第二復調部と、
前記シンボルに対し、前記ブロック符号化部のブロック符号化に応じたブロック復号化を行う第一受信装置用ブロック復号部と、
ブロック復号化された前記シンボルに対し、前記第一送信装置用第一変調部の変調に応じた復調を行う第一受信装置用第一復調部と、
復調後の値を用いて前記第一送信装置用誤り訂正符号化部の誤り訂正符号化に応じた誤り訂正処理及び復号処理を行うことによって前記第一データを生成する第一受信装置用誤り訂正復号部と、
前記第一データに基づいて、前記ブロック符号化部によって振幅値がゼロとなった変調シンボルが配置されるサブキャリアの情報を検出するヌルサブキャリア判定部をさらに備え、
前記第二送信装置用第二変調部は、前記ヌルサブキャリアの情報に応じて、前記第一送信信号において振幅値がゼロとなる周波数帯域のサブキャリアに変調シンボルを配置することを特徴とする請求項１に記載のマルチキャリア無線通信システム。
【請求項４】
複数のサブキャリアからなる無線信号を送受信する第一送信装置及び第一受信装置と、複数のサブキャリアからなる無線信号を送受信する第二送信装置及び第二受信装置と、を含むマルチキャリア無線通信システムが行うマルチキャリア無線通信方法であって、
前記第一送信装置が、
送信対象の第一データに対し誤り訂正符号化を行い、誤り訂正符号化ビットを生成する第一送信装置用誤り訂正符号化ステップと、
誤り訂正符号化ビットを変調し複数の変調シンボルを生成する第一送信装置用第一変調ステップと、
複数の変調シンボルに対し、一部の振幅値がゼロとなるようなブロック符号化を行うブロック符号化ステップと、
ブロック符号化された変調シンボルを各サブキャリアに配置し変調信号を生成する第一送信装置用第二変調ステップと、
前記変調信号から第一送信信号を生成し送信する第一送信装置用送信ステップと、
前記第二送信装置が、
送信対象の第二データに対し誤り訂正符号化を行い、誤り訂正符号化ビットを生成する第二送信装置用符号化ステップと、
誤り訂正符号化ビットを変調し複数の変調シンボルを生成する第二送信装置用第一変調ステップと、
変調シンボルを、前記第一送信信号において振幅値がゼロとなる周波数帯域のサブキャリアに配置し変調信号を生成する第二送信装置用第二変調ステップと、
前記変調信号から第二送信信号を生成し送信する第二送信装置用送信ステップと、
前記第一受信装置が、
前記第一送信信号及び前記第二送信信号を受信する第一受信装置用受信ステップと、
受信した信号からサブキャリア毎にシンボルを取得する第一受信装置用第二復調ステップと、
前記シンボルに対し、前記ブロック符号化ステップのブロック符号化に応じたブロック復号化を行う第一受信装置用ブロック復号ステップと、
ブロック復号化された前記シンボルに対し、前記第一送信装置用第一変調ステップの変調に応じた復調を行う第一受信装置用第一復調ステップと、
復調後の値を用いて前記第一送信装置用誤り訂正符号化ステップの誤り訂正符号化に応じた誤り訂正処理及び復号処理を行うことによって前記第一データを生成する第一受信装置用誤り訂正復号ステップと、
前記第二受信装置が、
前記第一送信信号及び前記第二送信信号を受信する第二受信装置用受信ステップと、
受信した信号からサブキャリア毎にシンボルを取得する第二受信装置用第二復調ステップと、
前記シンボルに対し、前記ブロック符号化ステップのブロック符号化に応じたブロック復号化を行う第二受信装置用ブロック復号ステップと、
ブロック復号化された前記シンボルに対し、前記第一送信装置用第一変調ステップの変調に応じた復調を行う第二受信装置用第一復調ステップと、
復調後の値を用いて前記第一送信装置用誤り訂正符号化ステップの誤り訂正符号化に応じた誤り訂正処理及び復号処理を行うことによって前記第一データを生成する第二受信装置用第一誤り訂正復号ステップと、
前記第一データに基づいて、前記第一送信信号において振幅値がゼロとなるサブキャリアの周波数帯域を判定する判定ステップと、
受信した信号のうち、前記第一送信信号において振幅値がゼロとなるサブキャリアの周波数帯域の信号からシンボルを取得し、前記第二送信装置用第一変調ステップの変調に応じた復調を行うサブキャリア選択ステップと、
前記サブキャリア選択ステップによる復調後の値を用いて、前記第二送信装置用誤り訂正符号化ステップの誤り訂正符号化に応じた誤り訂正処理及び復号処理を行うことによって前記第二データを生成する第二受信装置用第二誤り訂正復号ステップと、
を有する、ことを特徴とするマルチキャリア無線通信方法。
【請求項５】
前記第一送信装置が、前記ブロック符号化ステップによって振幅値がゼロとなった変調シンボルが配置されるサブキャリアの情報を前記第二送信装置に通知するヌルサブキャリア情報通知ステップをさらに備え、
前記第二送信装置用第二変調ステップにおいて前記第二送信装置が、前記ヌルサブキャリア情報に応じて、前記第一送信信号において振幅値がゼロとなる周波数帯域のサブキャリアに変調シンボルを配置することを特徴とする請求項４に記載のマルチキャリア無線通信方法。
【請求項６】
前記第二送信装置が、
前記第一送信信号及び前記第二送信信号を受信する第一受信装置用受信ステップと、
受信した信号からサブキャリア毎にシンボルを取得する第一受信装置用第二復調ステップと、
前記シンボルに対し、前記ブロック符号化ステップのブロック符号化に応じたブロック復号化を行う第一受信装置用ブロック復号ステップと、
ブロック復号化された前記シンボルに対し、前記第一送信装置用第一変調ステップの変調に応じた復調を行う第一受信装置用第一復調ステップと、
復調後の値を用いて前記第一送信装置用誤り訂正符号化ステップの誤り訂正符号化に応じた誤り訂正処理及び復号処理を行うことによって前記第一データを生成する第一受信装置用誤り訂正復号ステップと、
前記第一データに基づいて、前記ブロック符号化ステップにおいて振幅値がゼロとなった変調シンボルが配置されるサブキャリアの情報を検出するヌルサブキャリア判定ステップをさらに備え、
前記第二送信装置用第二変調ステップにおいて前記第二送信装置が、前記ヌルサブキャリアの情報に応じて、前記第一送信信号において振幅値がゼロとなる周波数帯域のサブキャリアに変調シンボルを配置することを特徴とする請求項４に記載のマルチキャリア無線通信方法。
【発明の詳細な説明】
【技術分野】
【０００１】
本発明は、重畳伝送を行うマルチキャリア無線通信システム及びマルチキャリア無線通信方法に関する。
【背景技術】
【０００２】
近年、無線通信分野において、有限な周波数資源の枯渇問題が深刻になっており、周波数利用効率の向上が望まれている。周波数利用効率を向上させる技術として、ガードバンドを利用して信号を重畳する方法が提案されている（非特許文献１参照）。
【０００３】
また、大電力で無線信号を送信する第１システムと小電力で無線信号を送信する第２システムとで無線信号を重畳する方法も提案されている（非特許文献２参照）。この方法では、第１システムの受信装置はそのまま復号し、第２システムの受信装置は第１システムの無線信号を復号してレプリカ信号を生成し、受信信号からレプリカ信号を除去することによって第２システムの無線信号を検出し復号する。
【先行技術文献】
【非特許文献】
【０００４】
【非特許文献１】杉山隆利、外３名，「狭帯域化ＳＳＭＡ信号と複数高速信号のスタガ型重畳伝送方式」，電子情報通信学会論文誌  Ｂ−ＩＩ，電子情報通信学会，１９９４年１１月，Ｖｏｌ．Ｊ７７−Ｂ−ＩＩ，第１１号，ｐ．６７４−６８０
【非特許文献２】長縄潤、外２名，「コグニティブ無線による重畳通信のためのチャネル情報が不要な変調方式」，電子情報通信学会通信ソサイエティ大会  通信講演論文集１，電子情報通信学会，２００８年９月，Ｂ−１７−９，ｐ．４５２
【発明の概要】
【発明が解決しようとする課題】
【０００５】
しかしながら、ガードバンドを利用する方法では、ガードバンドの周波数幅の制限が大きく重畳が困難になる場合があるという問題があった。また、レプリカ信号を生成する方法では、復号の精度や伝搬路推定の精度によっては生成されるレプリカ信号の品質が悪くなり、第２システムの受信装置において正しく復号を行えず受信品質が低下してしまうという問題があった。上記事情に鑑み、本発明は、受信品質の低下を抑止しつつ重畳伝送を行うことを可能とするマルチキャリア無線通信システム及びマルチキャリア無線通信方法を提供することを目的としている。
【課題を解決するための手段】
【０００６】
［１］本発明の一態様は、複数のサブキャリアからなる無線信号を送受信する第一送信装置及び第一受信装置と、複数のサブキャリアからなる無線信号を送受信する第二送信装置及び第二受信装置と、を含むマルチキャリア無線通信システムであって、前記第一送信装置は、送信対象の第一データに対し誤り訂正符号化を行い、誤り訂正符号化ビットを生成する第一送信装置用誤り訂正符号化部と、誤り訂正符号化ビットを変調し複数の変調シンボルを生成する第一送信装置用第一変調部と、複数の変調シンボルに対し、一部の振幅値がゼロとなるようなブロック符号化を行うブロック符号化部と、ブロック符号化された変調シンボルを各サブキャリアに配置し変調信号を生成する第一送信装置用第二変調部と、前記変調信号から第一送信信号を生成し送信する第一送信装置用送信部と、を備え、前記第二送信装置は、送信対象の第二データに対し誤り訂正符号化を行い、誤り訂正符号化ビットを生成する第二送信装置用誤り訂正符号化部と、誤り訂正符号化ビットを変調し複数の変調シンボルを生成する第二送信装置用第一変調部と、変調シンボルを、前記第一送信信号において振幅値がゼロとなる周波数帯域のサブキャリアに配置し変調信号を生成する第二送信装置用第二変調部と、前記変調信号から第二送信信号を生成し送信する第二送信装置用送信部と、を備え、前記第一受信装置は、前記第一送信信号及び前記第二送信信号を受信する第一受信装置用受信部と、受信した信号からサブキャリア毎にシンボルを取得する第一受信装置用第二復調部と、前記シンボルに対し、前記ブロック符号化部のブロック符号化に応じたブロック復号化を行う第一受信装置用ブロック復号部と、ブロック復号化された前記シンボルに対し、前記第一送信装置用第一変調部の変調に応じた復調を行う第一受信装置用第一復調部と、復調後の値を用いて前記第一送信装置用誤り訂正符号化部の誤り訂正符号化に応じた誤り訂正処理及び復号処理を行うことによって前記第一データを生成する第一受信装置用誤り訂正復号部と、を備え、前記第二受信装置は、前記第一送信信号及び前記第二送信信号を受信する第二受信装置用受信部と、受信した信号からサブキャリア毎にシンボルを取得する第二受信装置用第二復調部と、前記シンボルに対し、前記ブロック符号化部のブロック符号化に応じたブロック復号化を行う第二受信装置用ブロック復号部と、ブロック復号化された前記シンボルに対し、前記第一送信装置用第一変調部の変調に応じた復調を行う第二受信装置用第一復調部と、復調後の値を用いて前記第一送信装置用誤り訂正符号化部の誤り訂正符号化に応じた誤り訂正処理及び復号処理を行うことによって前記第一データを生成する第二受信装置用第一誤り訂正復号部と、前記第一データに基づいて、前記第一送信信号において振幅値がゼロとなるサブキャリアの周波数帯域を判定する判定部と、受信した信号のうち、前記第一送信信号において振幅値がゼロとなるサブキャリアの周波数帯域の信号からシンボルを取得し、前記第二送信装置用第一変調部の変調に応じた復調を行うサブキャリア選択部と、前記サブキャリア選択部による復調後の値を用いて、前記第二送信装置用誤り訂正符号化部の誤り訂正符号化に応じた誤り訂正処理及び復号処理を行うことによって前記第二データを生成する第二受信装置用第二誤り訂正復号部と、を備えることを特徴とする。
【０００７】
［２］本発明の一態様は、上記のマルチキャリア無線通信システムであって、前記第一送信装置は、前記ブロック符号化部によって振幅値がゼロとなった変調シンボルが配置されるサブキャリアの情報を前記第二送信装置に通知するヌルサブキャリア情報通知部をさらに備え、前記第二送信装置用第二変調部は、前記ヌルサブキャリア情報に応じて、前記第一送信信号において振幅値がゼロとなる周波数帯域のサブキャリアに変調シンボルを配置することを特徴とする。
【０００８】
［３］本発明の一態様は、上記のマルチキャリア無線通信システムであって、前記第二送信装置は、前記第一送信信号及び前記第二送信信号を受信する第一受信装置用受信部と、受信した信号からサブキャリア毎にシンボルを取得する第一受信装置用第二復調部と、前記シンボルに対し、前記ブロック符号化部のブロック符号化に応じたブロック復号化を行う第一受信装置用ブロック復号部と、ブロック復号化された前記シンボルに対し、前記第一送信装置用第一変調部の変調に応じた復調を行う第一受信装置用第一復調部と、復調後の値を用いて前記第一送信装置用誤り訂正符号化部の誤り訂正符号化に応じた誤り訂正処理及び復号処理を行うことによって前記第一データを生成する第一受信装置用誤り訂正復号部と、前記第一データに基づいて、前記ブロック符号化部によって振幅値がゼロとなった変調シンボルが配置されるサブキャリアの情報を検出するヌルサブキャリア判定部をさらに備え、前記第二送信装置用第二変調部は、前記ヌルサブキャリアの情報に応じて、前記第一送信信号において振幅値がゼロとなる周波数帯域のサブキャリアに変調シンボルを配置することを特徴とする。
【０００９】
［４］本発明の一態様は、複数のサブキャリアからなる無線信号を送受信する第一送信装置及び第一受信装置と、複数のサブキャリアからなる無線信号を送受信する第二送信装置及び第二受信装置と、を含むマルチキャリア無線通信システムが行うマルチキャリア無線通信方法であって、前記第一送信装置が、送信対象の第一データに対し誤り訂正符号化を行い、誤り訂正符号化ビットを生成する第一送信装置用誤り訂正符号化ステップと、誤り訂正符号化ビットを変調し複数の変調シンボルを生成する第一送信装置用第一変調ステップと、複数の変調シンボルに対し、一部の振幅値がゼロとなるようなブロック符号化を行うブロック符号化ステップと、ブロック符号化された変調シンボルを各サブキャリアに配置し変調信号を生成する第一送信装置用第二変調ステップと、前記変調信号から第一送信信号を生成し送信する第一送信装置用送信ステップと、前記第二送信装置が、送信対象の第二データに対し誤り訂正符号化を行い、誤り訂正符号化ビットを生成する第二送信装置用誤り訂正符号化ステップと、誤り訂正符号化ビットを変調し複数の変調シンボルを生成する第二送信装置用第一変調ステップと、変調シンボルを、前記第一送信信号において振幅値がゼロとなる周波数帯域のサブキャリアに配置し変調信号を生成する第二送信装置用第二変調ステップと、前記変調信号から第二送信信号を生成し送信する第二送信装置用送信ステップと、前記第一受信装置が、前記第一送信信号及び前記第二送信信号を受信する第一受信装置用受信ステップと、受信した信号からサブキャリア毎にシンボルを取得する第一受信装置用第二復調ステップと、前記シンボルに対し、前記ブロック符号化ステップのブロック符号化に応じたブロック復号化を行う第一受信装置用ブロック復号ステップと、ブロック復号化された前記シンボルに対し、前記第一送信装置用第一変調ステップの変調に応じた復調を行う第一受信装置用第一復調ステップと、復調後の値を用いて前記第一送信装置用誤り訂正符号化ステップの誤り訂正符号化に応じた誤り訂正処理及び復号処理を行うことによって前記第一データを生成する第一受信装置用誤り訂正復号ステップと、前記第二受信装置が、前記第一送信信号及び前記第二送信信号を受信する第二受信装置用受信ステップと、受信した信号からサブキャリア毎にシンボルを取得する第二受信装置用第二復調ステップと、前記シンボルに対し、前記ブロック符号化ステップのブロック符号化に応じたブロック復号化を行う第二受信装置用ブロック復号ステップと、ブロック復号化された前記シンボルに対し、前記第一送信装置用第一変調ステップの変調に応じた復調を行う第二受信装置用第一復調ステップと、復調後の値を用いて前記第一送信装置用誤り訂正符号化ステップの誤り訂正符号化に応じた誤り訂正処理及び復号処理を行うことによって前記第一データを生成する第二受信装置用第一誤り訂正復号ステップと、前記第一データに基づいて、前記第一送信信号において振幅値がゼロとなるサブキャリアの周波数帯域を判定する判定ステップと、受信した信号のうち、前記第一送信信号において振幅値がゼロとなるサブキャリアの周波数帯域の信号からシンボルを取得し、前記第二送信装置用第一変調ステップの変調に応じた復調を行うサブキャリア選択ステップと、前記サブキャリア選択ステップによる復調後の値を用いて、前記第二送信装置用誤り訂正符号化ステップの誤り訂正符号化に応じた誤り訂正処理及び復号処理を行うことによって前記第二データを生成する第二受信装置用第二誤り訂正復号ステップと、を有する、ことを特徴とする。
【００１０】
［５］本発明の一態様は、上記のマルチキャリア無線通信方法であって、前記第一送信装置が、前記ブロック符号化ステップによって振幅値がゼロとなった変調シンボルが配置されるサブキャリアの情報を前記第二送信装置に通知するヌルサブキャリア情報通知ステップをさらに備え、前記第二送信装置用第二変調ステップにおいて前記第二送信装置が、前記ヌルサブキャリア情報に応じて、前記第一送信信号において振幅値がゼロとなる周波数帯域のサブキャリアに変調シンボルを配置することを特徴とする。
【００１１】
［６］本発明の一態様は、上記のマルチキャリア無線通信方法であって、前記第二送信装置が、前記第一送信信号及び前記第二送信信号を受信する第一受信装置用受信ステップと、受信した信号からサブキャリア毎にシンボルを取得する第一受信装置用第二復調ステップと、前記シンボルに対し、前記ブロック符号化ステップのブロック符号化に応じたブロック復号化を行う第一受信装置用ブロック復号ステップと、ブロック復号化された前記シンボルに対し、前記第一送信装置用第一変調ステップの変調に応じた復調を行う第一受信装置用第一復調ステップと、復調後の値を用いて前記第一送信装置用誤り訂正符号化ステップの誤り訂正符号化に応じた誤り訂正処理及び復号処理を行うことによって前記第一データを生成する第一受信装置用誤り訂正復号ステップと、前記第一データに基づいて、前記ブロック符号化ステップにおいて振幅値がゼロとなった変調シンボルが配置されるサブキャリアの情報を検出するヌルサブキャリア判定ステップをさらに備え、前記第二送信装置用第二変調ステップにおいて前記第二送信装置が、前記ヌルサブキャリアの情報に応じて、前記第一送信信号において振幅値がゼロとなる周波数帯域のサブキャリアに変調シンボルを配置することを特徴とする。
【発明の効果】
【００１２】
本発明によれば、第二送信信号は、第一送信信号において振幅値がゼロとなる周波数帯域のサブキャリアのみに振幅が与えられて構成され、第一送信信号と第二送信信号とが重畳される。そのため、第二送信信号に対する第一送信信号の干渉の影響が小さい。また第一送信信号はブロック復号および誤り訂正復号により重畳された第二送信信号の影響を除することができる。したがって、受信品質の低下を抑止しつつ重畳伝送を行うことが可能となる。
【図面の簡単な説明】
【００１３】
【図１】マルチキャリア伝送によって信号の送受信を行う無線通信システムの第一実施形態である無線通信システムの概略を表す概略図である。
【図２】第一送信装置の機能構成を表すブロック図である。
【図３】ブロック符号化後の各コンスタレーションポイントの出現確率を表す概略図である。
【図４】第一送信信号の概略を表す概略図である。
【図５】第一送信装置の送信処理の手順を示すフローチャートである。
【図６】第一受信装置の機能構成を表すブロック図である。
【図７】第一受信装置の受信処理の手順を示すフローチャートである。
【図８】第二送信装置の機能構成を表すブロック図である。
【図９】送信信号の概略を表す概略図である。
【図１０】第二送信装置の送信処理の手順を示すフローチャートである。
【図１１】第二受信装置の機能構成を表すブロック図である。
【図１２】第二受信装置の受信処理の手順を示すフローチャートである。
【図１３】無線通信システムの変形例の概略を表す概略図である。
【図１４】マルチキャリア伝送によって信号の送受信を行う無線通信システムの第二実施形態である無線通信システムａの概略を表す概略図である。
【図１５】第一送信装置の機能構成を表すブロック図である。
【図１６】第二実施形態の第一送信装置の送信処理の手順を示すフローチャートである。
【図１７】第二送信装置の機能構成を表すブロック図である。
【図１８】第二実施形態の第二送信装置の送信処理の手順を示すフローチャートである。
【発明を実施するための形態】
【００１４】
［第一実施形態］
図１は、マルチキャリア伝送によって信号の送受信を行う無線通信システムの第一実施形態である無線通信システム１０の概略を表す概略図である。無線通信システム１０は、第一送信装置１、第一受信装置２、第二送信装置３、第二受信装置４を備える。第一送信装置１は第一受信装置２に対し無線信号を送信し、第二送信装置３は第二受信装置４に対し無線信号を送信する。なお、無線通信システム１０に含まれる第一送信装置１、第一受信装置２、第二送信装置３、第二受信装置４の台数は、図１のようにそれぞれ１台に限定されず、それぞれ複数台含まれても良い。また、図１では第一送信装置１及び第二送信装置３が基地局装置であり、第一受信装置２及び第二受信装置４が無線通信端末であるが、逆に第一送信装置１及び第二送信装置３が無線通信端末であり第一受信装置２及び第二受信装置４が基地局装置となっても良い。
【００１５】
無線通信端末は、基地局装置と無線通信を行う端末装置であり、例えば携帯電話機や、無線ＬＡＮ（Local Area Network）端末や、ＷｉＭＡＸ（登録商標）（Worldwide Interoperability for Microwave Access）端末などの装置である。基地局装置は、複数の無線通信端末と無線通信を行う装置であり、例えば携帯電話ネットワークにおける基地局装置や、無線ＬＡＮルータや、ＷｉＭＡＸ（登録商標）基地局などの装置である。第一送信装置１、第一受信装置２、第二送信装置３、第二受信装置４は、マルチキャリア伝送方式（例えばＯＦＤＭ（Orthogonal frequency division multiplex：直交周波数分割多重方式））によって無線通信を行う。
【００１６】
図２は、第一送信装置１の機能構成を表すブロック図である。図示するように、第一送信装置１は、ＦＥＣ符号化部１０１、第一変調部１０２、ブロック符号化部１０３、直並列変換部１０４、第二変調部１０５、送信部１０６、アンテナ１０７、ヌルサブキャリア情報通知部１０８を備える。
【００１７】
ＦＥＣ符号化部１０１は、送信対象の第一データのビット列をＦＥＣ（Forward Error Correction：前方誤り訂正）に従って符号化し、誤り訂正符号化ビットを生成する。
第一変調部１０２は、誤り訂正符号化ビットに対して変調処理（マッピング処理）を行うことによって複数の変調シンボルを生成する。具体的には、第一変調部１０２は、例えばＢＰＳＫ（Binary Phase Shift Keying）、ＱＰＳＫ（Quadrature Phase Shift Keying）、８ＰＳＫ（Octuple Phase Shift Keying）等の変調方式によって変調処理を行い、誤り訂正符号化ビットに応じた振幅値及び位相値の組み合わせ（変調シンボル）を生成する。
【００１８】
ブロック符号化部１０３は、第一変調部１０２によって生成された複数の変調シンボルに対しブロック符号化処理を行う。ブロック符号化部１０３には、可逆演算（ブロック復号）可能であり、且つブロック符号化後のシンボルの一部の振幅値がゼロとなるようなブロック符号化手法が適用される。例えば、ブロック符号化部１０３は、式１のような直交行列の一種であるアダマール行列を用いてブロック符号化処理を行う。式１において、ｄ１、ｄ２はそれぞれ変調シンボルを表し、ｂ１、ｂ２はそれぞれブロック符号化後の変調シンボル（ブロック符号化変調シンボル）を表す。なお、ブロック符号化部１０３は、アダマール行列に限らず、Ｍ系列やスクランブル符号を用いてもよい。
【００１９】
【数１】
2010206530.tif 000003
【００２０】
図３は、ブロック符号化後の各コンスタレーションポイント（constellation point）の出現確率を表す概略図であり、縦軸Ｑは直交成分を表し横軸Ｉは同相成分を表す。図３は、等電力ＱＰＳＫ（４コンスタレーションポイント）によって変調された変調シンボルが、２×２アダマール行列によってブロック符号化された場合の例を表す。この場合、変調シンボルｄ１、ｄ２の組み合わせは１６種である。また、ブロック符号化変調シンボルｂ１、ｂ２のコンスタレーションポイントは９種であり、そのうち振幅がゼロとなるコンスタレーションポイント（Ｉ，Ｑ）＝（０，０）の出現確率は４／１６（２５％）となる。
【００２１】
図２に戻って第一送信装置１の説明を続ける。直並列変換部１０４は、ブロック符号化部１０３によって生成された複数のブロック符号化変調シンボルに対し直並列変換（シリアル／パラレル変換）を行う。
【００２２】
第二変調部１０５は、直並列変換部１０４によって並列にされた各ブロック符号化変調シンボルを各サブキャリアに配置し、ＩＦＦＴ（Inverse Fast Fourier Transform：逆フーリエ変換）や並直列変換（パラレル／シリアル変換）やガードインターバルの挿入を行うことによって変調信号を生成する。
【００２３】
送信部１０６は、変調信号に対しデジタル／アナログ変換や電力増幅やアップコンバート等の処理を行うことによって送信信号を生成する。
アンテナ１０７は、送信部１０６によって生成された送信信号を無線により送信する。以下、第一送信装置１によって送信される送信信号を「第一送信信号」という。
【００２４】
ヌルサブキャリア情報通知部１０８は、ブロック符号化部１０３によるブロック符号化処理の結果に基づいて、振幅値がゼロとなったブロック符号化変調シンボルが割り当てられるサブキャリア、言い換えれば振幅がゼロになるサブキャリア（以下、このようなサブキャリアを「ヌルサブキャリア」という）の数及び周波数帯域（以下、ヌルサブキャリアの周波数帯域を「ヌル周波数帯域」という）を表すヌルサブキャリア情報を生成する。そして、ヌルサブキャリア情報通知部１０８は、第二送信装置３へヌルサブキャリア情報を通知する。このとき、ヌルサブキャリア情報通知部１０８は、ＬＡＮ等の有線ネットワークを介して通知しても良いし、無線ＬＡＮやＢｌｕｅｔｏｏｔｈ（登録商標）等の無線ネットワークを介して通知しても良いし、ＵＳＢ（Universal Serial Bus）等のケーブルを介して通知しても良い。
【００２５】
図４は、第一送信信号の概略を表す概略図である。図４において、横軸は周波数を表し、縦軸は振幅を表す。図４Ａは従来のマルチキャリア方式（ＱＰＳＫ変調、ＯＦＤＭ）に従って生成される送信信号を表し、図４Ｂは第一送信装置１によって生成される第一送信信号を表す。図４Ａでは、複数のサブキャリアそれぞれの振幅はａ１で均一であり、ヌルサブキャリアは無い。これに対し、図４Ｂでは、相対的に大きい振幅ａ２のサブキャリアと、相対的に小さい振幅ａ１のサブキャリアと、振幅がゼロのヌルサブキャリアとが存在する。ヌルサブキャリアは、図４Ｂの上向き矢印が示す周波数帯域に存在し、振幅値がゼロのブロック符号化変調シンボルが配置されたサブキャリアである。
【００２６】
次に、第一送信装置１の動作及び処理手順について説明する。図５は、第一送信装置１の送信処理の手順を示すフローチャートである。
図５に示すように、まずＦＥＣ符号化部１０１が送信対象の第一データのビット列をＦＥＣに従って誤り訂正符号化し、誤り訂正符号化ビットを生成する（ステップＳ１０１）。次に、第一変調部１０２が、誤り訂正符号化ビットを変調し変調シンボルを生成する（ステップＳ１０２）。次に、ブロック符号化部１０３が変調シンボルに対しブロック符号化処理を行う（ステップＳ１０３）。次に、ヌルサブキャリア情報通知部１０８が、ブロック符号化処理の結果に基づいてヌルサブキャリア情報を通知する（ステップＳ１０４）。次に、直並列変換部１０４がブロック符号化変調シンボルに対し直並列変換を行う（ステップＳ１０５）。次に、第二変調部１０５がＩＦＦＴ処理を行い（ステップＳ１０６）、並直列変換やガードインターバルの挿入を行う（ステップＳ１０７）。次に、送信部１０６が第一送信信号を生成する（ステップＳ１０８）。そして、アンテナ１０７が第一送信信号を無線により送信し（ステップＳ１０９）、このフローチャートに表される送信処理が終了する。
【００２７】
次に、第一受信装置２の機能構成について説明する。
図６は、第一受信装置２の機能構成を表すブロック図である。図示するように、第一受信装置２は、アンテナ２０１、受信部２０２、第二復調部２０３、並直列変換部２０４、ブロック復号部２０５、第一復調部２０６、ＦＥＣ復号部２０７を備える。
【００２８】
アンテナ２０１は、第一送信装置１によって送信された第一送信信号と、第二送信装置３によって送信された信号とが合成された信号を受信する。
受信部２０２は、受信された信号に対し、ダウンコンバートを行い、さらにアナログ／デジタル変換を行い、変調信号を生成する。
【００２９】
第二復調部２０３は、変調信号に対しガードインターバルの除去や直並列変換やＦＦＴ（Fast Fourier Transform：フーリエ変換）やプリアンブル情報を用いた周波数領域等化処理などを行うことによって、複数のシンボルを生成する。
並直列変換部２０４は、並列に並んだ複数のシンボルに対し並直列変換を行う。
【００３０】
ブロック復号部２０５は、各シンボルに対し、第一送信装置１のブロック符号化部１０３によるブロック符号化処理に応じたブロック復号化処理を行い、変調シンボルを生成する。例えば、ブロック符号化部１０３が式１のようなアダマール行列を用いてブロック符号化処理を行う場合には、ブロック復号部２０５は式２のようなアダマール行列の逆行列を用いてブロック復号化処理を行う。
【００３１】
【数２】
2010206530.tif 000004
【００３２】
第一復調部２０６は、第一送信装置１の第一変調部１０２による変調処理に応じた復調処理（デマッピング処理）を変調シンボルに対して行うことによって、誤り訂正符号化ビットを生成する。
ＦＥＣ復号部２０７は、誤り訂正符号化ビットに対し第一送信装置１のＦＥＣ符号化部１０１による誤り訂正符号化処理に応じた誤り訂正処理及び復号化処理を行うことによって、第一送信装置１において送信対象となっていた第一データを生成する。
【００３３】
次に、第一受信装置２の動作及び処理手順について説明する。図７は、第一受信装置２の受信処理の手順を示すフローチャートである。
図７に示すように、まずアンテナ２０１が信号を受信し（ステップＳ２０１）、受信した信号から受信部２０２が変調信号を生成する（ステップＳ２０２）。次に、第二復調部２０３が変調信号に対しガードインターバルの除去や直並列変換を行う（ステップＳ２０３）。次に、第二復調部２０３がＦＦＴを行うことによって複数のシンボルを生成する（ステップＳ２０４）。次に、並直列変換部２０４が複数のシンボルに対し並直列変換を行う（ステップＳ２０５）。次に、ブロック復号部２０５が各シンボルに対しブロック復号化処理を行うことによって変調シンボルを生成する（ステップＳ２０６）。次に、第一復調部２０６が変調シンボルを復調することによって誤り訂正符号化ビットを生成する（ステップＳ２０７）。次に、ＦＥＣ復号部２０７が誤り訂正符号化ビットを誤り訂正復号化することによって第一データを生成し（ステップＳ２０８）、このフローチャートに表される受信処理が終了する。
【００３４】
図８は、第二送信装置３の機能構成を表すブロック図である。図示するように、第二送信装置３は、レート調整バッファ３０１、ＦＥＣ符号化部３０２、第一変調部３０３、直並列変換部３０４、サブキャリア選択部３０５、第二変調部３０６、送信部３０７、アンテナ３０８を備える。
【００３５】
レート調整バッファ３０１は、送信対象の第二データをバッファリングし、第一送信装置１から通知されるヌルサブキャリア情報が示すヌルサブキャリアの数に応じてＦＥＣ符号化部３０２に出力するビット数を調整する。すなわち、第二送信装置３は第一送信信号のヌル周波数帯域のサブキャリアのみを用いて無線通信を行うため、レート調整バッファ３０１はヌルサブキャリアの数に応じて一つの送信信号で送信可能なビット数の第二データのみをＦＥＣ符号化部３０２に出力し、残る第二データを次の送信タイミングまでバッファリングする。
【００３６】
ＦＥＣ符号化部３０２は、レート調整バッファ３０１から出力された第二データのビット列をＦＥＣに従って符号化し、誤り訂正符号化ビットを生成する。
第一変調部３０３は、誤り訂正符号化ビットに対して変調処理を行うことによって複数の変調シンボルを生成する。具体的には、第一変調部３０３は、例えばＢＰＳＫ、ＱＰＳＫ、８ＰＳＫ等の変調方式によって変調処理を行い、誤り訂正符号化ビットに応じた振幅値及び位相値の組み合わせ（変調シンボル）を生成する。なお、第一変調部３０３は、第一送信装置１の第一変調部１０２と同じ変調方式によって変調処理を行っても良いし、異なる変調方式によって変調処理を行っても良い。
【００３７】
直並列変換部３０４は、第一変調部３０３によって生成された複数の変調シンボルに対し直並列変換を行う。
サブキャリア選択部３０５は、第一送信装置１から通知されるヌルサブキャリア情報が示すヌルサブキャリアの周波数帯域に応じて、第一変調部３０３によって生成された変調シンボルを配置するサブキャリアの周波数帯域を選択する。具体的には、サブキャリア選択部３０５は、通知されたヌルサブキャリアの周波数帯域に位置するサブキャリアに変調シンボルを配置することを第二変調部３０６に指示する。
【００３８】
第二変調部３０６は、直並列変換部３０４によって並列にされた各変調シンボルを、サブキャリア選択部３０５によって選択された各サブキャリアに配置し、ＩＦＦＴや並直列変換やガードインターバルの挿入を行うことによって変調信号を生成する。
【００３９】
送信部３０７は、変調信号に対しデジタル／アナログ変換や電力増幅やアップコンバート等の処理を行うことによって送信信号を生成する。
アンテナ３０８は、送信部３０７によって生成された送信信号を無線により送信する。以下、第二送信装置３によって送信される送信信号を「第二送信信号」という。
【００４０】
図９は、送信信号の概略を表す概略図である。図９において、横軸は周波数を表し、縦軸は振幅を表す。図９Ａは第一送信装置１によって生成される第一送信信号を表し、図９Ｂは第二送信装置３によって生成される第二送信信号を表す。図示されるように、第二送信信号は、第一送信信号のヌルサブキャリアの周波数帯域のサブキャリアのみによって構成され、これらのサブキャリアのみに変調シンボルが配置される。また、図９に図示されるように、第二送信信号の振幅ａ０は、第一送信信号の二つの振幅ａ１及びａ２よりも小さい値となることが望ましい。
【００４１】
次に、第二送信装置３の動作及び処理手順について説明する。図１０は、第二送信装置３の送信処理の手順を示すフローチャートである。
図１０に示すように、まずレート調整バッファ３０１がヌルサブキャリア情報に基づいて送信可能なビット数を判定し、このビット数に応じて送信対象の第二データを出力する（ステップＳ３０１）。次に、ＦＥＣ符号化部３０２が送信対象の第二データのビット列をＦＥＣに従って誤り訂正符号化し、誤り訂正符号化ビットを生成する（ステップＳ３０２）。次に、第一変調部３０３が、誤り訂正符号化ビットを変調し変調シンボルを生成する（ステップＳ３０３）。次に、直並列変換部３０４が変調シンボルに対し直並列変換を行う（ステップＳ３０４）。次に、サブキャリア選択部３０５が、ヌルサブキャリア情報に基づいて変調シンボルを配置するサブキャリアの周波数を選択する（ステップＳ３０５）。次に、第二変調部３０６が、サブキャリア選択部３０５によって選択された周波数のサブキャリアに対して変調シンボルを配置する（ステップＳ３０６）。次に、第二変調部３０６がＩＦＦＴ処理を行い（ステップＳ３０７）、並直列変換やガードインターバルの挿入を行う（ステップＳ３０８）。次に、送信部３０７が第二送信信号を生成する（ステップＳ３０９）。そして、アンテナ３０８が第二送信信号を無線により送信し（ステップＳ３１０）、このフローチャートに表される送信処理が終了する。
【００４２】
次に、第二受信装置４の機能構成について説明する。
図１１は、第二受信装置４の機能構成を表すブロック図である。図示するように、第二受信装置４は、アンテナ４０１、受信部４０２、第二復調部４０３、並直列変換部４０４、ブロック復号部４０５、第一復調部４０６、第一ＦＥＣ復号部４０７、ヌルサブキャリア判定部４０８、サブキャリア選択部４０９、第二ＦＥＣ復号部４１０を備える。
【００４３】
アンテナ４０１は、第一送信装置１によって送信された第一送信信号と、第二送信装置３によって送信された第二送信信号とが合成された信号を受信する。
受信部４０２は、受信された信号に対し、ダウンコンバートを行い、さらにアナログ／デジタル変換を行い、変調信号を生成する。
【００４４】
第二復調部４０３は、変調信号に対しガードインターバルの除去や直並列変換やＦＦＴやプリアンブル情報を用いた周波数領域等化処理などを行うことによって、複数のシンボルを生成する。
並直列変換部４０４は、並列に並んだ複数のシンボルに対し並直列変換を行う。
【００４５】
ブロック復号部４０５は、各シンボルに対し、第一送信装置１のブロック符号化部１０３によるブロック符号化処理に応じたブロック復号化処理を行い、変調シンボルを生成する。例えば、ブロック符号化部１０３が上記の式１のようなアダマール行列を用いてブロック符号化処理を行う場合には、ブロック復号部４０５は上記の式２のようなアダマール行列の逆行列を用いてブロック復号化処理を行う。
【００４６】
第一復調部４０６は、第一送信装置１の第一変調部１０２による変調処理に応じた復調処理（デマッピング処理）を変調シンボルに対して行うことによって、誤り訂正符号化ビットを生成する。
第一ＦＥＣ復号部４０７は、誤り訂正符号化ビットに対し第一送信装置１のＦＥＣ符号化部１０１による誤り訂正符号化処理に応じた誤り訂正処理及び復号化処理を行うことによって、第一送信装置１において送信対象となっていた第一データを生成する。
【００４７】
ヌルサブキャリア判定部４０８は、第一送信装置１の第一送信信号におけるヌル周波数帯域を判定する。具体的には、ヌルサブキャリア判定部４０８は、第一ＦＥＣ復号部４０７によって生成された第一データに対し、第一送信装置１のＦＥＣ符号化部１０１、第一変調部１０２、ブロック符号化部１０３と同様の処理を行うことによってレプリカ信号を生成し、ヌルサブキャリアが配置されていたヌル周波数帯域を判定する。
【００４８】
サブキャリア選択部４０９は、第二復調部４０３によって生成されたシンボルのうち、ヌルサブキャリア判定部４０８によって判定されたヌル周波数帯域のサブキャリアのシンボルのみを取得する。すなわち、サブキャリア選択部４０９は、第二送信装置３によって変調シンボルが配置されたサブキャリアのみから変調シンボルを取得する。そして、サブキャリア選択部４０９は、取得された各変調シンボルに対し、第二送信装置３の第一変調部３０３による変調処理に応じた復調処理を行うことによって、第二データの誤り訂正符号化ビットを生成する。
【００４９】
第二ＦＥＣ復号部４１０は、サブキャリア選択部４０９によって生成された誤り訂正符号化ビットに対し、第二送信装置３のＦＥＣ符号化部３０２による誤り訂正符号化処理に応じた誤り訂正処理及び復号化処理を行うことによって、第二送信装置３において送信対象となっていた第二データを生成する。
【００５０】
次に、第二受信装置４の動作及び処理手順について説明する。図１２は、第二受信装置４の受信処理の手順を示すフローチャートである。
図１２に示すように、まずアンテナ４０１が信号を受信し（ステップＳ４０１）、受信した信号から受信部４０２が変調信号を生成する（ステップＳ４０２）。次に、第二復調部４０３が変調信号に対しガードインターバルの除去や直並列変換を行う（ステップＳ４０３）。次に、第二復調部４０３がＦＦＴを行うことによって複数のシンボルを生成する（ステップＳ４０４）。次に、並直列変換部４０４がシンボルに対し並直列変換を行う（ステップＳ４０５）。次に、ブロック復号部４０５が各シンボルに対しブロック復号化処理を行うことによって変調シンボルを生成する（ステップＳ４０６）。次に、第一復調部４０６が変調シンボルを復調することによって誤り訂正符号化ビットを生成する（ステップＳ４０７）。次に、第一ＦＥＣ復号部４０７が誤り訂正符号化ビットを誤り訂正復号化することによって第一データを生成する（ステップＳ４０８）。
【００５１】
次に、ヌルサブキャリア判定部４０８が、レプリカ信号を生成し（ステップＳ４０９）、ヌル周波数帯域を判定する（ステップＳ４１０）。次に、サブキャリア選択部４０９が、ヌル周波数帯域のサブキャリアから変調シンボルを取得し復調することによって第二データの誤り訂正符号化ビットを生成する（ステップＳ４１１）。そして、第二ＦＥＣ符号化部４１０が誤り訂正符号化ビットを誤り訂正復号化することによって第二データを生成し（ステップＳ４１２）、このフローチャートに表される送信処理が終了する。
【００５２】
このように構成された無線通信システム１０の第一受信装置２及び第二受信装置４は、第一送信信号と第二送信信号とが合成された信号を受信することになる。しかし、第一送信信号はＦＥＣ及びブロック符号化処理によって雑音耐性を備えているため、第二送信装置の振幅ａ０が第一送信信号の振幅ａ１以下であれば、第一受信装置２及び第二受信装置４は第一データを正しく生成することができる。そして、第二受信装置４は、このように第一データを正しく生成することによって、ヌル周波数帯域を正確に判定し、ヌル周波数帯域に配置された第二送信信号のサブキャリアを選択し、第二データを正しく生成することができる。すなわち、無線通信システム１０により、ガードバンドを用いることなく重畳伝送を行うことができる。
【００５３】
また、第一送信装置１はブロック符号化処理を行うことによって、送信データを含まないヌルサブキャリアを恣意的に設けることなく、第一データの一部を有するヌルサブキャリアを発生させることができる。そのため、第一送信信号に含まれるデータ量を減らすことなく、ヌルサブキャリアを有する第一送信信号を生成することができる。そして、第二送信信号は、第一送信信号のヌル周波数帯域のサブキャリアのみに振幅が与えられて構成されるため、第一送信信号による干渉の影響が小さい。以上の構成により、第一送信信号によるデータ伝送効率（通信速度）の低下を抑止しつつ、第二送信信号の受信品質を従来よりも向上させた重畳伝送を実現することが可能となる。
【００５４】
また、第一送信信号では、一定の確率（図３の場合は２５％の確率）でヌルサブキャリアが発生する。そのため、第二送信信号のシンボルレートはほぼ一定の値に落ち着き、第二送信信号を安定して送信することが可能となる。
また、従来技術に比べて、受信信号からレプリカ信号を除去する減算処理分の演算量を削減することができる。
【００５５】
＜変形例＞
図１３は、無線通信システム１０の変形例の概略を表す概略図である。図示するように、無線通信システム１０の第一送信装置１及び第二送信装置３は一台の送信装置として構成されても良い。この場合、ヌルサブキャリア通知部１０８は配線によって結線されたレート調整バッファ３０１及びサブキャリア選択部３０５に対してヌルサブキャリア情報を通知するように構成されても良い。そして、この場合、第一送信信号及び第二送信信号はそれぞれ異なるアンテナから送信されても良いし、第一送信信号と第二送信信号とが予め合波された信号がアンテナから送信されても良い。
【００５６】
また、第一送信信号に対する与干渉の観点から、第二送信信号の信号形式（サブキャリア間隔、シンボルレートなど）は、第一送信信号に等しいことが望ましい。
また、ブロック復号部２０５によるブロック復号化処理の妨げとならない程度に第二送信信号の送信電力スペクトル密度が抑えられることが望ましい。
また、上記各構成は、マルチキャリア伝送方式ではなくシングルキャリア伝送方式によって構成されても良い。その場合、振幅がゼロのサブキャリアに代えて、振幅がゼロのタイムスロットが生成される。すなわち、周波数方向のサブキャリアに関する上記概念を、時間方向のタイムスロットに置き換えることによって、シングルキャリア伝送方式による上記無線通信システム１０を構成することができる。
【００５７】
［第二実施形態］
図１４は、マルチキャリア伝送によって信号の送受信を行う無線通信システムの第二実施形態である無線通信システム１０ａの概略を表す概略図である。第二実施形態の無線通信システム１０ａは、第一送信装置１ａが第二送信装置３ａに対しヌルサブキャリア情報を通知しない点で第一実施形態の無線通信システム１０と異なり、第一受信装置２及び第二受信装置４の構成は第一実施形態と同じである。以下、第二実施形態の無線通信システム１０ａについて、第一実施形態の無線通信システム１０と異なる点について説明する。
【００５８】
図１５は、第一送信装置１ａの機能構成を表すブロック図である。図１５において、第一実施形態の第一送信装置１と同じ構成には図２と同じ符号を付して表す。
第一送信装置１ａは、ヌルサブキャリア情報通知部１０８を備えない点で第一送信装置１と異なり、他の構成は第一送信装置１と同様である。そのため、第一送信装置１ａの各構成についての説明は省く。
【００５９】
図１６は、第二実施形態の第一送信装置１ａの送信処理の手順を示すフローチャートである。図５と同じ処理については、図１６において図５と同じ符号を付して表し説明を省く。図示するように、第二実施形態の送信処理の手順は、ステップＳ１０３の処理の次に直並列変換部１０４が直並列変換を行う（ステップＳ１０５）点で第一実施形態の送信処理の手順と異なり、他の手順は第一実施形態と同様である。
【００６０】
図１７は、第二送信装置３ａの機能構成を表すブロック図である。図１７において、第一実施形態の第二送信装置３と同じ構成には図１７において図８と同じ符号を付して表し、その説明を省く。
【００６１】
第二送信装置３ａは、アンテナ３１１、受信部３１２、第二復調部３１３、並直列変換部３１４、ブロック復号部３１５、第一復調部３１６、ＦＥＣ復号部３１７、ヌルサブキャリア判定部３１８をさらに備える点で第二送信装置３と異なり、他の構成は第二送信装置３と同様である。
【００６２】
第二送信装置３ａのレート調整バッファ３０１及びサブキャリア選択部３０５は、第一送信装置１ａから通知されるヌルサブキャリア情報ではなく、ヌルサブキャリア判定部３１８の判定結果に基づいて動作する点で第一実施形態と異なるが、他の動作は第一実施形態と同じであるため説明を省く。また、ＦＥＣ符号化部３０２、第一変調部３０３、直並列変換部３０４、第二変調部３０６、送信部３０７、アンテナ３０８は第一実施形態と同じ構成であるため説明を省く。
【００６３】
また、アンテナ３１１、受信部３１２、第二復調部３１３、並直列変換部３１４、ブロック復号部３１５、第一復調部３１６、ＦＥＣ復号部３１７は、それぞれ第一受信装置２のアンテナ２０１、受信部２０２、第二復調部２０３、並直列変換部２０４、ブロック復号部２０５、第一復調部２０６、ＦＥＣ復号部２０７と同様に構成されるため説明を省く。
【００６４】
ヌルサブキャリア判定部３１８は、ＦＥＣ復号部３１７によって生成された第一データに対し、第一送信装置１ａのＦＥＣ符号化部１０１、第一変調部１０２、ブロック符号化部１０３と同様の処理を行うことによってレプリカ信号を生成し、ヌルサブキャリアの数及びヌル周波数帯域を判定する。
【００６５】
図１８は、第二実施形態の第二送信装置３ａの送信処理の手順を示すフローチャートである。図１０と同じ処理については、図１８において図１０と同じ符号を付して表す。図示するように、まずアンテナ３１１が信号を受信し（ステップＳ３１１）、受信した信号から受信部３１２が変調信号を生成する（ステップＳ３１２）。次に、第二復調部３１３が変調信号に対しガードインターバルの除去や直並列変換を行う（ステップＳ３１３）。次に、第二復調部３１３がＦＦＴを行うことによって複数のシンボルを生成する（ステップＳ３１４）。次に、並直列変換部３１４が複数のシンボルに対し並直列変換を行う（ステップＳ３１５）。次に、ブロック復号部３１５が各シンボルに対しブロック復号化処理を行うことによって変調シンボルを生成する（ステップＳ３１６）。次に、第一復調部３１６が変調シンボルを復調することによって誤り訂正符号化ビットを生成する（ステップＳ３１７）。次に、ＦＥＣ復号部３１７が誤り訂正符号化ビットを復号化することによって第一データを生成する（ステップＳ３１８）。
【００６６】
次に、ヌルサブキャリア判定部３１８が、レプリカ信号を生成し（ステップＳ３１９）、ヌルサブキャリアの数とヌル周波数帯域を判定する（ステップＳ３２０）。この後、第二送信装置３ａは第一実施形態と同じようにステップＳ３０１〜ステップＳ３１０の処理を行い、このフローチャートに表される送信処理が終了する。
【００６７】
このように構成された第二実施形態の無線通信システム１０ａでは、第二送信装置３ａは、第一送信装置１ａからヌルサブキャリア情報の通知を受けることなくヌルサブキャリアの数及びヌル周波数帯域を検出する。そのため、第一送信装置１ａと第二送信装置３ａとを物理的に離れた位置に設置することが可能となる。例えば、第一送信装置１ａが広範囲を通信範囲とする中継装置として構成され、第二送信装置３ａがより狭い範囲を通信範囲とする基地局装置として構成されても良い。
また、第二実施形態の無線通信システム１０ａは、第一実施形態の変形例のうち、第一送信装置１ａと第二送信装置３ａとが一台の装置として構成されるもの以外の変形例と同様に変形して構成されても良い。
【００６８】
以上、この発明の実施形態について図面を参照して詳述してきたが、具体的な構成はこの実施形態に限られるものではなく、この発明の要旨を逸脱しない範囲の設計等も含まれる。
【符号の説明】
【００６９】
１…第一送信装置，  １０１…ＦＥＣ符号化部，  １０２…第一変調部，  １０３…ブロック符号化部，  １０４…直並列変換部，  １０５…第二変調部，  １０６…送信部，  １０７…アンテナ，  ２…第一受信装置，  ２０１…アンテナ，  ２０２…受信部，  ２０３…第二復調部，  ２０４…並直列変換部，  ２０５…ブロック復号部，  ２０６…第一復調部，  ２０７…ＦＥＣ復号部，  ３…第二送信装置，  ３０１…レート調整バッファ，  ３０２…ＦＥＣ符号化部，  ３０３…第一変調部，  ３０４…直並列変換部，  ３０５…サブキャリア選択部，  ３０６…第二変調部，  ３０７…送信部，  ３０８…アンテナ，  ３１１…アンテナ，  ３１２…受信部，  ３１３…第二復調部，  ３１４…並直列変換部，  ３１５…ブロック復号部，  ３１６…第一復調部，  ３１７…ＦＥＣ復号部，  ３１８…ヌルサブキャリア判定部，  ４…第二受信装置，  ４０１…アンテナ，  ４０２…受信部，  ４０３…第二復調部，  ４０４…並直列変換部，  ４０５…ブロック復号部，  ４０６…第一復調部，  ４０７…ＦＥＣ復号部，  ４０８…ヌルサブキャリア判定部，  ４０９…サブキャリア選択部，  ４１０…第二ＦＥＣ復号部，  １０…無線通信システム
【図１】
2010206530.tif 000005
【図２】
2010206530.tif 000006
【図３】
2010206530.tif 000007
【図４】
2010206530.tif 000008
【図５】
2010206530.tif 000009
【図６】
2010206530.tif 000010
【図７】
2010206530.tif 000011
【図８】
2010206530.tif 000012
【図９】
2010206530.tif 000013
【図１０】
2010206530.tif 000014
【図１１】
2010206530.tif 000015
【図１２】
2010206530.tif 000016
【図１３】
2010206530.tif 000017
【図１４】
2010206530.tif 000018
【図１５】
2010206530.tif 000019
【図１６】
2010206530.tif 000020
【図１７】
2010206530.tif 000021
【図１８】
2010206530.tif 000022